(57)【要約】      （修正有）【課題】糸ノコ収納工具ケースの内部に収納される糸ノコが糸ノコの収納部にしっかりと固定されるようにして、糸ノコ収納工具ケースの運搬や保管中に糸ノコが糸ノコ収納工具ケース内に散らばるのを防止することを可とする糸ノコ収納工具ケースを提供する。【解決手段】糸ノコ１の収納部１０に収納された金属材質からなる糸ノコを固定する固定手段として磁石４２を配置して、磁石の磁力で金属材質の糸ノコを固定し、工具ケースの内部にしっかりと固定することを可能として糸ノコ収納工具ケースを形成する。【選択図】図２
0003174082.tif 000002
【実用新案登録請求の範囲】
【請求項１】
糸ノコの収納部に収納された金属材質からなる糸ノコを固定する固定手段として磁石を配置して、磁石の磁力で金属材質の糸ノコを固定し、工具ケースの内部にしっかりと固定することを可能とする糸ノコ収納工具ケース。
【請求項２】
糸ノコ収納部が凹部形状に形成され、糸ノコ収納部に複数列の細長の凸部が形成され、隣接する凸部との間に糸ノコが収納され、隣接する凸部との間の外側に延びる糸ノコ本体の両端部に対応する位置の箇所に糸ノコを固定する固定手段としての磁石が配置されている、請求項１に記載した糸ノコ収納工具ケース。
【請求項３】
複数列の細長の凸部の各々が前方細長凸部と後方細長凸部から構成し、複数列の細長の凸部の前方細長凸部と後方細長凸部との間に凹部を設けた、請求項２に記載した糸ノコ収納工具ケース。
【請求項４】
凹部形状の糸ノコ収納部の壁部とそれに対向する最外側の細長の凸部との間にも糸ノコ収納部が形成され、収納される糸ノコの両端部に対応する箇所にも磁石が配置されている、請求項１乃至３に記載した糸ノコ収納工具ケース。
【請求項５】
磁石が凹部形状の糸ノコ収納部の底面に形成した凹部に、その上面が糸ノコ収納部の底面から出ないように埋設固定されている、請求項１乃至４のいずれかに記載した糸ノコ収納工具ケース。
【考案の詳細な説明】
【技術分野】
【０００１】
本考案は、糸ノコ取付柄部及び糸ノコを収納する糸ノコ収納工具ケースに関し、詳細には糸ノコ収納部に磁石を配置することにより収納された糸ノコを工具ケース内に着脱自在にしっかりと固定することを可能とする糸ノコ収納工具ケースに関するものである。
【背景技術】
【０００２】
一つの糸ノコ取付柄部と複数の糸ノコを収納するために、糸ノコ収納工具ケースが一般に使用されている。  上記糸ノコ収納工具ケースを開いた状態で見て、工具ケース本体の一方の側の内面には糸ノコ取付柄部を挿入する柄部収納部が設けられ、他方の側の内面には一つの鋸の収容部と複数の糸ノコを収納する収納部が設けられている。しかしながら、従来の工具ケースは、工具ケースの糸ノコの収納部にある糸ノコを固定する手段がなく、工具ケースの内部において糸ノコが糸ノコの収納部に固定されずに、色々な方向に散らばってしまう場合が多く、糸ノコを一定の位置に保持するのが困難であった。
【考案の概要】
【考案が解決しようとする課題】
【０００３】
本考案は従来の糸ノコ収納工具ケースの問題点を勘案し、糸ノコ収納工具ケースの内部に収納される糸ノコが糸ノコの収納部にしっかりと固定されるようにして、糸ノコ収納工具ケースの運搬や保管中に糸ノコが糸ノコ収納工具ケース内に散らばるのを防止する。
【課題を解決するための手段】
【０００４】
本考案は上記のように、糸ノコ収納工具ケースに収納された糸ノコが糸ノコ収納工具ケース内に散らばるのを防止することを目的とし、糸ノコの収納部に収納された金属材質からなる糸ノコを固定する固定手段として磁石を配置して、磁石の磁力で金属材質の糸ノコを固定し、工具ケースの内部にしっかりと固定することを可能とする糸ノコ収納工具ケースに関する。
【０００５】
本考案の好ましい実施態様として以下のものを挙げることができる。
（１）  糸ノコ収納部が凹部形状に形成され、糸ノコ収納部に複数列の細長の凸部が形成され、隣接する凸部との間に糸ノコが収納され、隣接する凸部との間の外側に延びる糸ノコ本体の両端部に対応する位置の箇所に糸ノコを固定する固定手段としての磁石が配置されている。このようにすることによって、糸ノコがその両端で磁石によって固定されるので、より強力に糸ノコを固定することができる。
（２）複数列の細長の凸部の各々を前方細長凸部と後方細長凸部から構成し、複数列の細長の凸部の前方細長凸部と後方細長凸部との間に凹部を設ける。このような凹部をもうけることによって、糸ノコの中央部を親指と人差し指との間に挟んで糸ノコを隣接する凸部との間の糸ノコ収納部に出し入れする時に、指先が上記凹部に出入りできるので、糸ノコの着脱を容易にすることができる。
【０００６】
（３）  凹部形状の糸ノコ収納部の壁部とそれに対向する最外側の細長の凸部との間にも糸ノコが収納できるようになっており、収納される糸ノコの両端部に対応する箇所にも磁石が配置されている。このような構成とすることにより、より多くの糸ノコを収納することができる。
（４）  磁石が凹部形状の糸ノコ収納部の底面に形成した凹部に、その上面が糸ノコ収納部の底面から出ないように埋設固定されている。このようにすることにより、糸ノコが磁石から横滑りすることを少なくすることができる。
【考案の効果】
【０００７】
本考案は糸ノコ収納工具ケースに収納した糸ノコが糸ノコの収納部にしっかりと固定されていて、工具ケース内部に糸ノコの収納・保管と整理整頓に便利で、糸ノコ収納工具ケースを便利に使える効果がある。
本考案はよく整理・整頓された糸ノコ収納工具ケース内部の糸ノコを使用者が選択し易くし、作業を効率的にし、糸ノコを利用した作業能率を増大する効果がある。従って、糸ノコが固定できない場合には、他の糸ノコ同志が触れて刃が損傷したり、鋸取付柄部や鋸にぶつかって損傷されることがあったが、このような損傷を防止し、糸ノコの寿命を延長することができる効果がある。
【図面の簡単な説明】
【０００８】
【図１】糸ノコ収納工具ケースを開けた状態を示す。
【図２】開けた状態の糸ノコ収納工具ケースに糸ノコを収納した状態を示す。
【図３】磁石を通る糸ノコ収納部の断面図である。
【考案を実施するための形態】
【０００９】
本考案は、糸ノコの収納部に収納された金属材質からなる糸ノコを固定する固定手段として磁石を配置して、磁石の磁力で金属材質の糸ノコを固定し、工具ケースの内部にしっかりと固定することを可能とする糸ノコ収納工具ケースに関する。
以下に、糸ノコの収納部に磁石を配置した本考案に係る糸ノコ収納工具ケースの一実施態様を詳細に説明する。この実施態様は本考案の具体例であって、本考案がこの実施態様のみに限定されると考えてはならず、本考案の範囲内で種々の変更が可能であることは当業者には自明であろう。
【００１０】
図１及び図２は、ホック(図示せず)を外して開いた状態の本考案の一実施態様に係る糸ノコ収納工具ケース５０を示す。本実施態様では、糸ノコ収納工具ケース５０の本体１０はプラスチックからなり、図３に示すように軽量化の為内部は中空となっている。糸ノコ収納工具ケース５０の本体１０の一方の側には糸ノコ取付柄部を挿入する凹部状の収納部２０が設けられ、もう一方の側には木を容易に切断できるような大きい鋸刃を収納する凹部形状の収納部３０と、収納部３０下側には凹部形状の糸ノコ収納部４０が設けられている。糸ノコは木材やプラスチックなどを精密に切断したり加工するのに使用する。糸ノコ収納部４０には、左側に4つの細長い糸ノコ収納凸部４０ａ，４０ａ、４０ａ、４０ａが設けられ、右側には4つの細長い糸ノコ収納凸部４０ｂ，４０ｂ、４０ｂ、４０ｂが設けられ、一列の細長い糸ノコ収納凸部４０ａと細長い糸ノコ収納凸部４０ｂと隣接する他の一列の細長い糸ノコ収納凸部４０ａと細長い糸ノコ収納凸部４０ｂとの間に糸ノコの両端が外側に延びる状態で収納され、最外側の細長い糸ノコ収納凸部４０ａと細長い糸ノコ収納凸部４０ｂの外側にも糸ノコが収納されるようになっている。
【００１１】
一列の細長い糸ノコ収納凸部４０ａと細長い糸ノコ収納凸部４０ｂと隣接する他の列の細長い糸ノコ収納凸部４０ａと細長い糸ノコ収納凸部４０ｂとの間の外側で、糸ノコ１を収納した状態でその両端部が位置する箇所に糸ノコ１を固定保持する磁石４２を配置する。より詳しく述べると、図１乃至図３に示すように、前記箇所に凹部状の磁石挿入部４１を設け、磁石挿入部４１に円柱状の磁石４２を挿入固定する。糸ノコ１を固定する磁石４２を磁石挿入部４１へ固定する方法としては、磁石の挿入部４１に塗布した接着剤による固定や、磁石挿入部４１の直径と磁石の直径を同一及び磁石の直径を微細に大きくして、磁石の挿入部４１に磁石４２を密着圧入する方法があり、これにより磁石４２が挿入部４１から容易には分離されないようにする。
【００１２】
糸ノコ取付柄部はその収納部２０に摩擦挿入され内部にしっかりと着脱自在に固定される。上記糸ノコに対する磁石構成に加えて、大きい金属製の鋸刃を収納する凹部形状の収納部３０に対しても同様の磁石構成を採用することもできる。
【００１３】
上記のようにいくつかの糸ノコ１を糸ノコの収納部４０に収納し、保管する場合、磁石の挿入部４１に挿入され  固定されている磁石４２が磁力で糸ノコを固定していて、保管中の糸ノコ(1)が散らばったりお互いに混じるのを防止することができる。
【符号の説明】
【００１４】
１・・・ 糸ノコ、１０・・・本体、２０・・・糸ノコ取付柄部用収納部、３０・・・鋸用収納部、４０・・・糸ノコ用収納部、４０ａ、４０ｂ・・・凸部、４１・・・磁石挿入部、４２・・・磁石、５０・・・糸ノコ収納工具ケース
【図１】
0003174082.tif 000003
【図２】
0003174082.tif 000004
【図３】
0003174082.tif 000005